(57)【特許請求の範囲】
【請求項１】
流通管から供給された流体を吐出する吐出部を含む洗浄機構において、
前記吐出部から吐出される流体の吐出方向を周期的に変化させる流体素子が前記吐出部に設けられ、
前記吐出部には、前記流体素子を介して前記流体が吐出される第１出口と、この第１出口の外周を囲むように形成されて前記流体が吐出される第２出口とが設けられ、
前記吐出部には、前記第２出口を含む外周流路が設けられ、前記外周流路には前記第２出口側に向かうにつれて縮径する縮径部が設けられている
ことを特徴とする洗浄機構。
【請求項２】
請求項１に記載の洗浄機構において、
前記流体素子は、前記吐出部に取り付けられる素子本体と、この素子本体に設けられる複数の分流壁部と、前記素子本体に設けられて前記吐出部からの流体の吐出方向を周期的に変化させるための内部流路とを含み、
この内部流路は、前記複数の分流壁部により形成されて互いに平行となる複数の第１平行流路と、前記複数の分流壁部により形成されて互いに平行となる複数の第２平行流路とを含み、前記複数の第１平行流路と前記複数の第２平行流路とが交叉することにより前記第１平行流路および前記第２平行流路のそれぞれに流路の交叉点が複数形成される
ことを特徴とする洗浄機構。
【請求項３】
請求項１に記載の洗浄機構において、
前記流体素子は、前記吐出部からの流体の吐出方向を周期的に変化させるための内部流路を含み、
この内部流路は、前記流体素子の入口を含む入口流路と、この入口流路の出口に接続されて同入口流路よりも通路面積の大きい中間室と、この中間室の流体を前記吐出部の第１出口から吐出するための第１出口流路と、前記中間室の流体を前記吐出部の第２出口から吐出するための第２出口流路と、前記中間室のうちの前記入口流路の出口と前記第１出口流路の入口および前記第２出口流路の入口との間にある２つの部位をそれぞれ第１中間室部分および第２中間室部分として、これら第１中間室部分および第２中間室部分を互いに接続する連通流路とを含む
ことを特徴とする洗浄機構。
【請求項４】
請求項１に記載の洗浄機構において、
前記流体素子は、前記吐出部からの流体の吐出方向を周期的に変化させるための内部流路を含み、
この内部流路は、前記流体素子の入口から出口までにわたり形成されるとともに前記入口から前記出口にかけて通路面積が大きくなる主流路と、この主流路のうちの上流側に位置する流路上流部分と下流側に位置する流路下流部分とを互いに連通する第１副流路と、この第１副流路とは独立して前記流路上流部分と前記流路下流部分とを互いに連通する第２副流路とを含む
ことを特徴とする洗浄機構。
【請求項５】
請求項１に記載の洗浄機構において、
前記流体素子は、前記流通管の吐出部に取り付けられる素子本体と、この素子本体に設けられて前記吐出部からの流体の吐出方向を周期的に変化させるための内部流路と、この内部流路上において流路の分岐点として設けられる分流壁部とを含み、
この内部流路は、前記流体素子の入口を含む入口流路と、この入口流路の出口に接続されて同入口流路の出口に対向する部位に前記分流壁部が設けられる出口流路とを含み、
この出口流路は、前記入口流路の出口に接続される第１出口流路と、前記流体素子の出口を含む第２出口流路と、前記分流壁部により前記第１出口流路から分岐して形成され、かつそれぞれ前記第１出口流路と前記第２出口流路とを接続する第１分岐流路および第２分岐流路とを含む
ことを特徴とする洗浄機構。
【請求項６】
請求項１〜５のいずれか一項に記載の洗浄機構において、
前記流体素子が複数設けられる
ことを特徴とする洗浄機構。
【請求項７】
請求項１〜６のいずれか一項に記載の洗浄機構において、
前記吐出部には、前記外周流路に空気を供給するための空気流路が設けられている
ことを特徴とする洗浄機構。
【請求項８】
請求項７に記載の洗浄機構において、
前記外周流路の外側に前記空気流路が設けられる
ことを特徴とする洗浄機構。
【請求項９】
請求項７に記載の洗浄機構において、
前記外周流路の内側に前記空気流路が設けられる
ことを特徴とする洗浄機構。
【請求項１０】
流通管から供給された流体を吐出する吐出部を含む洗浄機構において、
前記吐出部から吐出される流体の吐出方向を周期的に変化させる流体素子が前記吐出部に設けられ、
前記流体素子は、前記流通管の吐出部に取り付けられる素子本体と、この素子本体に設けられて前記吐出部からの流体の吐出方向を周期的に変化させるための内部流路と、この内部流路上において流路の分岐点として設けられる分流壁部とを含み、
この内部流路は、前記流体素子の入口を含む入口流路と、この入口流路の出口に接続されて同入口流路の出口に対向する部位に前記分流壁部が設けられる出口流路とを含み、
この出口流路は、前記入口流路の出口に接続される第１出口流路と、前記流体素子の出口を含む第２出口流路と、前記分流壁部により前記第１出口流路から分岐して形成され、かつそれぞれ前記第１出口流路と前記第２出口流路とを接続する第１分岐流路および第２分岐流路とを含む
ことを特徴とする洗浄機構。
【請求項１１】
請求項１〜１０のいずれか一項に記載の洗浄機構において、
当該洗浄機構は、前記流通管に供給された高圧の流体を前記吐出部から吐出する高圧洗浄装置である
ことを特徴とする洗浄機構。
【請求項１２】
請求項１〜１０のいずれか一項に記載の洗浄機構において、
当該洗浄機構は、水道管の先に取り付けられて前記吐出部から水を吐出する蛇口である
ことを特徴とする洗浄機構。
【請求項１３】
請求項１〜１０のいずれか一項に記載の洗浄機構において、
当該洗浄機構は、前記吐出部から流体を吐出するシャワーである
ことを特徴とする洗浄機構。
【請求項１４】
請求項１〜１０のいずれか一項に記載の洗浄機構において、
当該洗浄機構は、前記吐出部から人体の頭髪に流体を吐出する自動洗髪装置である
ことを特徴とする洗浄機構。
【請求項１５】
請求項１〜１０のいずれか一項に記載の洗浄機構において、
当該洗浄機構は、前記吐出部から回転ドラムに流体を吐出する洗濯機である
ことを特徴とする洗浄機構。
【請求項１６】
請求項１〜１０のいずれか一項に記載の洗浄機構において、
当該洗浄機構は、前記吐出部から浴槽に流体を吐出する浴槽洗浄装置である
ことを特徴とする洗浄機構。
【請求項１７】
請求項１〜１０のいずれか一項に記載の洗浄機構において、
当該洗浄機構は、前記吐出部から車両に流体を吐出する車両洗浄装置である
ことを特徴とする洗浄機構。
【請求項１８】
請求項１〜１０のいずれか一項に記載の洗浄機構において、
当該洗浄機構は、前記吐出部から床に流体を吐出する床洗浄装置である
ことを特徴とする洗浄機構。
【請求項１９】
請求項１〜１０のいずれか一項に記載の洗浄機構において、
当該洗浄機構は、前記吐出部から人体の口腔に流体を吐出する口腔洗浄装置である
ことを特徴とする洗浄機構。
【請求項２０】
請求項１〜１０のいずれか一項に記載の洗浄機構において、
当該洗浄機構は、前記吐出部から食器に流体を吐出する食器洗浄装置である
ことを特徴とする洗浄機構。
【請求項２１】
請求項１〜１０のいずれか一項に記載の洗浄機構において、
当該洗浄機構は、前記吐出部から人体の局部に流体を吐出する洗浄便座装置である
ことを特徴とする洗浄機構。
【請求項２２】
請求項１〜１０のいずれか一項に記載の洗浄機構において、
当該洗浄機構は、前記吐出部から人体に空気を吐出するエアシャワー装置である
ことを特徴とする洗浄機構。
【請求項２３】
請求項１〜１０のいずれか一項に記載の洗浄機構において、
当該洗浄機構は、前記流通管とは各別に形成されて同流通管への取り付けおよび同流通管からの取り外しが可能なアタッチメントである
ことを特徴とする洗浄機構。
【発明の詳細な説明】
【技術分野】
【０００１】
本発明は、吐出部から供給された流体を吐出する吐出部を含む洗浄機構に関する。
【背景技術】
【０００２】
上記洗浄機構の一例として、特許文献１に記載のものが挙げられる。
この文献の洗浄機構は、吐水口から吐出される流体の吐出方向をモータにより変化させることにより、洗浄力を高めている。
【先行技術文献】
【特許文献】
【０００３】
【特許文献１】特開２０００−１７７０７号公報
【発明の概要】
【発明が解決しようとする課題】
【０００４】
上記洗浄機構においては、モータの異常が生じたときに流体の吐出方向が変化しなくなるため、洗浄力が低下する。
本発明はこのような実情に鑑みてなされたものであり、その目的は、洗浄力の低下が生じる頻度を少なくすることのできる洗浄機構を提供することにある。
【課題を解決するための手段】
【０００５】
以下に上記目的を達成するための手段を示す。
・本発明の洗浄機構は、流通管から供給された流体を吐出する吐出部を含む洗浄機構において、前記吐出部から吐出される流体の吐出方向を周期的に変化させる流体素子が前記吐出部に設けられ、前記吐出部には、前記流体素子を介して前記流体が吐出される第１出口と、この第１出口の外周を囲むように形成されて前記流体が吐出される第２出口とが設けられ、前記吐出部には、前記第２出口を含む外周流路が設けられ、前記外周流路には前記第２出口側に向かうにつれて縮径する縮径部が設けられていることを特徴とする。
【０００６】
・この洗浄機構においては、前記流体素子は、前記吐出部に取り付けられる素子本体と、この素子本体に設けられる複数の分流壁部と、前記素子本体に設けられて前記吐出部からの流体の吐出方向を周期的に変化させるための内部流路とを含み、この内部流路は、前記複数の分流壁部により形成されて互いに平行となる複数の第１平行流路と、前記複数の分流壁部により形成されて互いに平行となる複数の第２平行流路とを含み、前記複数の第１平行流路と前記複数の第２平行流路とが交叉することにより前記第１平行流路および前記第２平行流路のそれぞれに流路の交叉点が複数形成されることが好ましい。
【０００７】
・この洗浄機構においては、前記流体素子は、前記吐出部からの流体の吐出方向を周期的に変化させるための内部流路を含み、この内部流路は、前記流体素子の入口を含む入口流路と、この入口流路の出口に接続されて同入口流路よりも通路面積の大きい中間室と、この中間室の流体を前記吐出部の第１出口から吐出するための第１出口流路と、前記中間室の流体を前記吐出部の第２出口から吐出するための第２出口流路と、前記中間室のうちの前記入口流路の出口と前記第１出口流路の入口および前記第２出口流路の入口との間にある２つの部位をそれぞれ第１中間室部分および第２中間室部分として、これら第１中間室部分および第２中間室部分を互いに接続する連通流路とを含むことが好ましい。
【０００８】
・この洗浄機構においては、前記流体素子は、前記吐出部からの流体の吐出方向を周期的に変化させるための内部流路を含み、この内部流路は、前記流体素子の入口から出口までにわたり形成されるとともに前記入口から前記出口にかけて通路面積が大きくなる主流路と、この主流路のうちの上流側に位置する流路上流部分と下流側に位置する流路下流部分とを互いに連通する第１副流路と、この第１副流路とは独立して前記流路上流部分と前記流路下流部分とを互いに連通する第２副流路とを含むことが好ましい。
【０００９】
・この洗浄機構においては、前記流体素子は、前記流通管の吐出部に取り付けられる素子本体と、この素子本体に設けられて前記吐出部からの流体の吐出方向を周期的に変化させるための内部流路と、この内部流路上において流路の分岐点として設けられる分流壁部とを含み、この内部流路は、前記流体素子の入口を含む入口流路と、この入口流路の出口に接続されて同入口流路の出口に対向する部位に前記分流壁部が設けられる出口流路とを含み、この出口流路は、前記入口流路の出口に接続される第１出口流路と、前記流体素子の出口を含む第２出口流路と、前記分流壁部により前記第１出口流路から分岐して形成され、かつそれぞれ前記第１出口流路と前記第２出口流路とを接続する第１分岐流路および第２分岐流路とを含むことが好ましい。
【００１０】
・この洗浄機構においては、前記流体素子が複数設けられることが好ましい。
【００１１】
・この洗浄機構においては、前記吐出部には、前記外周流路に空気を供給するための空気流路が設けられることが好ましい。
・この洗浄機構においては、前記外周流路の外側に前記空気流路が設けられることが好ましい。
【００１２】
・この洗浄機構においては、前記外周流路の内側に前記空気流路が設けられることが好ましい。
・この洗浄機構においては、当該洗浄機構は、前記流通管に供給された高圧の流体を前記吐出部から吐出する高圧洗浄装置であることが好ましい。
【００１３】
・この洗浄機構においては、当該洗浄機構は、水道管の先に取り付けられて前記吐出部から水を吐出する蛇口であることが好ましい。
・この洗浄機構においては、当該洗浄機構は、前記吐出部から流体を吐出するシャワーであることが好ましい。
【００１４】
・この洗浄機構においては、当該洗浄機構は、前記吐出部から人体の頭髪に流体を吐出する自動洗髪装置であることが好ましい。
・この洗浄機構においては、当該洗浄機構は、前記吐出部から回転ドラムに流体を吐出する洗濯機であることが好ましい。
【００１５】
・この洗浄機構においては、当該洗浄機構は、前記吐出部から浴槽に流体を吐出する浴槽洗浄装置であることが好ましい。
・この洗浄機構においては、当該洗浄機構は、前記吐出部から車両に流体を吐出する車両洗浄装置であることが好ましい。
【００１６】
・この洗浄機構においては、当該洗浄機構は、前記吐出部から床に流体を吐出する床洗浄装置であることが好ましい。
・この洗浄機構においては、当該洗浄機構は、前記吐出部から人体の口腔に流体を吐出する口腔洗浄装置であることが好ましい。
【００１７】
・この洗浄機構においては、当該洗浄機構は、前記吐出部から食器に流体を吐出する食器洗浄装置であることが好ましい。
・この洗浄機構においては、当該洗浄機構は、前記吐出部から人体の局部に流体を吐出する洗浄便座装置であることが好ましい。
【００１８】
・この洗浄機構においては、当該洗浄機構は、前記吐出部から人体に空気を吐出するエアシャワー装置であることが好ましい。
・この洗浄機構においては、当該洗浄機構は、前記流通管とは各別に形成されて同流通管への取り付けおよび同流通管からの取り外しが可能なアタッチメントであることが好ましい。
【発明の効果】
【００１９】
本発明によれば、洗浄力の低下が生じる頻度を少なくすることのできる洗浄機構を提供することができる。
【図面の簡単な説明】
【００２０】
【図１】本発明の洗浄機構を蛇口として具体化した第１実施形態について、（ａ）は吐出口の部分断面構造を示す部分断面図、（ｂ）は流体素子の斜視構造を示す斜視図、（ｃ）は分流壁部の全体構造を示す正面図。
【図２】同実施形態の蛇口の吐出口について、図１のＸ１−Ｘ１線に沿う断面構造を示す断面図。
【図３】同実施形態の蛇口の吐出口について、図２のＸ２−Ｘ２線に沿う断面構造を示す断面図。
【図４】本発明の洗浄機構を蛇口として具体化した第２実施形態について、吐出口の断面構造を示す断面図。
【図５】本発明の洗浄機構を蛇口として具体化した第３実施形態について、吐出口の断面構造を示す断面図。
【図６】本発明の洗浄機構を蛇口として具体化した第４実施形態について、（ａ）は吐出口の断面構造を示す断面図、（ｂ）は流体素子の斜視構造を示す斜視図。
【図７】同実施形態の蛇口の吐出口について、図６のＸ６−Ｘ６線に沿う断面構造を示す断面図。
【図８】同実施形態の蛇口の吐出口について、（ａ）〜（ｃ）は内部の水の流通態様を示す断面図。
【図９】本発明の洗浄機構を蛇口として具体化した第５実施形態について、吐出口の断面構造を示す断面図。
【図１０】同実施形態の蛇口の吐出口について、図９のＸ９−Ｘ９線に沿う断面構造を示す断面図。
【図１１】同実施形態の蛇口の吐出口について、（ａ）〜（ｃ）は内部の水の流通態様を示す断面図。
【図１２】本発明の洗浄機構を蛇口として具体化した第６実施形態について、吐出口の断面構造を示す断面図。
【図１３】同実施形態の蛇口の吐出口について、図１２のＸ１２−Ｘ１２線に沿う断面構造を示す断面図。
【図１４】同実施形態の蛇口の吐出口について、（ａ）および（ｂ）は内部の水の流通態様を示す断面図。
【図１５】本発明の洗浄機構を蛇口のアタッチメントとして具体化した第７実施形態について、その部分断面構造を示す部分断面図。
【図１６】本発明の洗浄機構をシャワーとして具体化した第８実施形態について、その吐出口の部分断面構造を示す部分断面図。
【図１７】本発明の洗浄機構を自動洗髪装置として具体化した第９実施形態について、（ａ）はその全体構造を示す正面図、（ｂ）はその吐出部の拡大構造を示す断面図。
【図１８】本発明の洗浄機構を洗濯機として具体化した第１０実施形態について、（ａ）はその全体構造を示す正面図、（ｂ）はその吐出部の拡大構造を示す断面図。
【図１９】本発明の洗浄機構を車両洗浄装置として具体化した第１１実施形態について、（ａ）はその全体構造を示す正面図、（ｂ）はその吐出部の拡大構造を示す断面図。
【図２０】本発明の洗浄機構を浴槽洗浄装置として具体化した第１２実施形態について、（ａ）はその全体構造を示す斜視図、（ｂ）はその吐出部の拡大構造を示す断面図。
【図２１】本発明の洗浄機構を床洗浄装置として具体化した第１３実施形態について、（ａ）はその全体構造を示す正面図、（ｂ）はその吐出部の拡大構造を示す断面図。
【図２２】本発明の洗浄機構を口腔洗浄装置として具体化した第１４実施形態について、（ａ）はその全体構造を示す正面図、（ｂ）はその吐出部の拡大構造を示す断面図。
【図２３】本発明の洗浄機構を食器洗浄装置として具体化した第１５実施形態について、（ａ）はその全体構造を示す断面図、（ｂ）はその吐出部の拡大構造を示す断面図。
【図２４】本発明の洗浄機構を洗浄便座装置として具体化した第１６実施形態について、（ａ）はその全体構造を示す斜視図、（ｂ）はその吐出部の拡大構造を示す断面図。
【図２５】本発明の洗浄機構をエアシャワー装置として具体化した第１７実施形態について、（ａ）はその全体構造を示す正面図、（ｂ）はその吐出部の拡大構造を示す断面図。
【発明を実施するための形態】
【００２１】
（第１実施形態）
図１〜図３を参照して、本発明の第１実施形態について説明する。
図１に蛇口１００の全体構成を示す。
【００２２】
蛇口１００は、水道管（図示略）に接続される流通管１２０と、流通管１２０の先端に設けられて水を吐出する吐出部１１０と、水道管から流通管１２０に供給される水の流量を調整するための水栓１３０とを含む。また、吐出部１１０から吐出される水の吐出方向を周期的に変化させるための複数の流体素子１０を含む。
【００２３】
蛇口１００の内部には、水道管から供給された水を流すための素子流路１４０が設けられている。素子流路１４０は、流通管１２０内に形成された管内流路１２１と、吐出部１１０内に形成された各流路とを含む。
【００２４】
吐出部１１０は、複数の流体素子１０が嵌め込まれた本体部１１１と、本体部１１１の周囲全体を取り囲むように形成された外壁部１１２とを含む。本体部１１１および外壁部１１２は、同一の素材により一体の要素として構成されている。本体部１１１には５つの流体素子１０が嵌め込まれている。外壁部１１２には、流通管１２０が接続されている。
【００２５】
吐出部１１０内には、流通管１２０の管内流路１２１に接続される供給流路１１３と、各流体素子１０内の素子流路１４と、本体部１１１の周囲全体を取り囲む外周流路１１４とが形成されている。供給流路１１３と素子流路１４および外周流路１１４とは互いに連通している。
【００２６】
吐出部１１０には、蛇口１００においての水の出口となる第１出口１１５および第２出口１１６が設けられている。第１出口１１５は、それぞれの流体素子１０の素子流路１４の出口に相当する。第２出口１１６は、外周流路１１４の出口に相当する。
【００２７】
流体素子１０の構造の詳細について説明する。なお、図１（ｂ）は１つの流体素子１０の斜視構造を示す。また、図１（ｃ）は流体素子１０のそれぞれに設けられている分流壁部１３の正面構造を示す。
【００２８】
図１（ｂ）に示されるように、流体素子１０は、その本体となる底部１１と、底部１１の両端部に設けられた一対の側壁１２と、底部１１において一対の側壁１２に間に設けられた複数の分流壁部１３とを含む。また、底部１１上に素子流路１４が形成されている。
【００２９】
各分流壁部１３は、正面視において菱形の形状となるように形成されている。また、対角線Ａおよび対角線Ｂのうちの長い方の対角線Ｂが流体素子１０（側壁１２）の長手方向に沿うように形成されている。
【００３０】
流体素子１０には、幅方向に所定の間隔をおいて配置された３つの分流壁部１３からなる列と、幅方向に所定の間隔をおいて配置された４つの分流壁部１３からなる列と、幅方向に所定の間隔をおいて配置された３つの分流壁部１３からなる列とが設けられている。素子流路１４は、各分流壁部１３の間に形成された流路、および各分流壁部１３と各側壁１２との間に形成された流路とにより構成されている。
【００３１】
各分流壁部１３の間に形成された流路は、互いに平行となる複数の第１平行流路１４Ａと、互いに平行となる複数の第２平行流路１４Ｂとにより構成されている。各第１平行流路１４Ａは、上流側から下流側に向かうにつれて、流体素子１０の幅方向において図中右側から左側に向けて水が流れる流路として形成されている。各第２平行流路１４Ｂは、上流側から下流側に向かうにつれて、流体素子１０の幅方向において図中左側から右側に向けて水が流れる流路として形成されている。各第１平行流路１４Ａと各第２平行流路１４Ｂとが交叉することにより、各第１平行流路１４Ａおよび各第２平行流路１４Ｂのそれぞれには流路の交叉点が複数形成されている。
【００３２】
図２を参照して、吐出部１１０の詳細な構造について説明する。
吐出部１１０には、５つの流体素子１０、すなわち第１流体素子１０Ａおよび第２流体素子１０Ｂおよび第３流体素子１０Ｃおよび第４流体素子１０Ｄおよび第５流体素子１０Ｅが設けられている。各流体素子１０Ａ〜１０Ｅは、吐出部１１０に対する各分流壁部１３の配列態様が同じになるように重ね合わせられている。
【００３３】
第１流体素子１０Ａは、各分流壁部１３Ａが本体部１１１の壁面と接触するように設けられている。第２流体素子１０Ｂは、各分流壁部１３Ｂが第１流体素子１０Ａの底部１１Ａと対向するように設けられている。第３流体素子１０Ｃは、各分流壁部１３Ｃが第２流体素子１０Ｂの底部１１Ｂと対向するように設けられている。第４流体素子１０Ｄは、各分流壁部１３Ｄが第３流体素子１０Ｃの底部１１Ｃと対向するように設けられている。第５流体素子１０Ｅは、各分流壁部１３Ｅが第４流体素子１０Ｄの底部１１Ｄと対向するように、また底部１１Ｅが本体部１１１の壁面と接触するように設けられている。
【００３４】
図３を参照して、吐出部１１０内の水の流れについて説明する。
水栓１３０が開かれているとき、水道管の水が流通管１２０内の管内流路１２１を流れる。管内流路１２１の水は、吐出部１１０内の供給流路１１３に流れ込む。供給流路１１３の水は、素子流路１４または外周流路１１４に流れ込む。
【００３５】
素子流路１４の水は、第１平行流路１４Ａおよび第２平行流路１４Ｂを入口側から出口側に向けて流れる。この水の流速が一定の速度を超えたとき、同流路１４においてフリップフロップ流が生じる。
【００３６】
フリップフロップ流が生じているとき、素子流路１４の出口（第１出口１１５）から流れ出る水の流れは一定の周期で流れの方向が変化する。すなわち、矢印ＺＡで示される第１の方向に水が吐出する状態と、矢印ＺＢで示される第２の方向に水が吐出する状態とが一定の周期で切り替わる。
【００３７】
フリップフロップ流は次のように生じると考えられる。なお、ここでは１つの分流壁部１３において菱形を形成する４つの側面について、そのうちの対角線Ａよりも出口側かつ対角線Ｂよりも図中右側にあるものを右出口側面、対角線Ａよりも出口側かつ対角線Ｂよりも図中左側にあるものを左出口側面としている。
【００３８】
素子流路１４に流れ込んだ水は、コアンダ効果により分流壁部１３の側面に付着して素子流路１４を流通する。このため、第１平行流路１４Ａに沿う水の流れまたは第２平行流路１４Ｂに沿う水の流れが素子流路１４に形成される。
【００３９】
例えば、素子流路１４において第１平行流路１４Ａに沿う流れが形成されているとき、すなわち第１出口１１５から矢印Ａ方向に水が吐出されているとき、素子流路１４においては分流壁部１３の右出口側面付近に剥離渦が発生している。この剥離渦は、時間の経過とともに右出口側面付近から左出口側面付近に移動する。
【００４０】
そして、このような剥離渦の移動、ならびに第１平行流路１４Ａおよび第２平行流路１４Ｂの合流部での流れの合流によるせん断層の振動が関連して、素子流路１４の水の流れが第１平行流路１４Ａに沿う流れから第２平行流路１４Ｂに沿う流れに変化すると考えられる。すなわち、フリップフロップ流が発生すると考えられる。
【００４１】
本実施形態によれば以下の効果が得られる。
（１）蛇口１００の吐出部１１０には、吐出部１１０から吐出される流体の吐出方向を周期的に変化させる流体素子１０が設けられている。この構成によれば、吐出部１１０から吐出される水の吐出方向が周期的に変化するため、被洗浄物の洗浄面に対して水が断続的に当てられる。これにより、被洗浄物の洗浄面に衝撃が加えられるため、洗浄力が向上する。また、吐出部１１０に流体素子１０を設けることにより、このような洗浄力の向上の効果を維持しているため、電力により駆動する電気装置を用いて洗浄力を高める洗浄機構のように電気装置の異常に起因して洗浄力の低下をまねくおそれがない。すなわち、洗浄力の低下が生じる頻度を少なくすることができる。
【００４２】
（２）蛇口１００の吐出部１１０には、流体素子１０を介して流体が吐出される第１出口１１５と、この第１出口１１５の周囲全体を囲むように形成された第２出口１１６とが設けられている。この構成によれば、周期的に吐出方向の変化する第１出口１１５からの水の流れが第２出口１１６から吐出する水の流れに取り囲まれているため、第１出口１１５から吐出した水が周囲に飛散することが第２出口１１６から吐出した水の流れにより抑制される。
【００４３】
（第２実施形態）
図４を参照して、本発明の第２実施形態について説明する。
本実施形態の蛇口１００は、第１実施形態の蛇口１００に対して次の変更を加えたものとして構成されている。すなわち、第１実施形態の蛇口１００の吐出部１１０には、本体部１１１の外周に素子流路１４とは別の流路として外周流路１１４のみが形成されている。これに対して、本実施形態の蛇口１００の吐出部１５０には、素子流路１４とは別の流路として、本体部１１１の外周において水を流通させるための外周流路１５６、および外周流路１５６の外周において空気を流通させるための空気流路１５７が形成されている。以下、第１実施形態からの変更点の詳細について説明する。なお、第１実施形態と共通する構成については同一の符号を付してその説明を省略する。
【００４４】
図４に示されるように、吐出部１５０は、複数の流体素子１０が嵌め込まれた本体部１５１と、本体部１５１の周囲全体を取り囲むように形成された外壁部１５２と、本体部１５１と外壁部１５２との間に形成された中間壁１５３とを含む。中間壁１５３は、本体部１５１の下流側の部分の周囲全体を取り囲むように形成されている。本体部１５１および外壁部１５２および中間壁１５３は、同一の素材により一体の要素として構成されている。本体部１５１には、５つの流体素子１０が嵌め込まれている。外壁部１５２には、流通管１２０（図１参照）が接続されている。
【００４５】
吐出部１５０内には、流通管１２０の管内流路１２１に接続される供給流路１５５と、各流体素子１０内の素子流路１４と、本体部１５１の周囲全体を取り囲む外周流路１５６と、外周流路１５６に空気を供給するための空気流路１５７とが形成されている。供給流路１５５と素子流路１４および外周流路１５６とは互いに連通している。
【００４６】
外壁部１５２において中間壁１５３の上流側の部分には、外周流路１５６の入口側から出口側に向かうにつれて縮径する縮径部１５４が設けられている。このため、外周流路１５６の各部位の通路面積は次のように互いに異なる大きさとなる。
【００４７】
すなわち、縮径部１５４よりも入口側の部分においては、外周流路１５６のなかで通路面積が最も大きく、かつ入口側から出口側にわたり通路面積が一定となる。縮径部１５４においては、入口側から出口側に向かうにつれて通路面積が次第に小さくなる。縮径部１５４よりも出口側の部分においては、外周流路１５６のなかで通路面積が最も小さく、かつ入口側から出口側までにわたり通路面積が一定となる。
【００４８】
吐出部１５０には、蛇口１００においての水の出口となる第１出口１５８および第２出口１５９が設けられている。第１出口１５８は、それぞれの流体素子１０の素子流路１４の出口に相当する。第２出口１５９は、外周流路１５６の出口に相当する。
【００４９】
外周流路１５６の水の流れについて説明する。
外周流路１５６の縮径部１５４に対応する部分においては、水の流速が同部分よりも上流側の部分に比べて速くなる。このため、縮径部１５４に対応する部分の圧力は、同部分よりも上流側の部分に比べて小さくなる。これにより、外周流路１５６において空気流路１５７との接続部分には空気流路１５７を介して外部の空気が流れ込むため、第２出口１５９からは空気を含む水が吐出される。
【００５０】
本実施形態によれば、先の第１実施形態の前記（１）の効果すなわち洗浄力の低下が生じる頻度を少なくすることができる旨の効果、および前記（２）の効果に加えて、以下に示す効果がさらに得られる。
【００５１】
（３）蛇口１００の吐出部１５０には、外周流路１５６に空気を供給するための空気流路１５７が設けられている。この構成によれば、外周流路１５６を流れる水に空気が供給されるため、第２出口１５９からは空気を含む水が吐出される。これにより、第２出口１５９から吐出される水に空気が含まれない場合と比較して、同出口１５９から吐出された水が飛散しにくくなる。
【００５２】
（第３実施形態）
図５を参照して、本発明の第３実施形態について説明する。
本実施形態の蛇口１００は、第２実施形態の蛇口１００に対して次の変更を加えたものとして構成されている。すなわち、第２実施形態の蛇口１００の吐出部１５０においては、外周流路１５６の外側に空気流路１５７が形成されている。これに対して、本実施形態の蛇口１００の吐出部１６０においては、外周流路１６６の内側に空気流路１６７が形成されている。以下、第２実施形態からの変更点の詳細について説明する。なお、第２実施形態と共通する構成については同一の符号を付してその説明を省略する。
【００５３】
図５に示されるように、吐出部１６０は、複数の流体素子１０が嵌め込まれた本体部１６１と、本体部１６１の周囲全体を取り囲むように形成された外壁部１６２と、本体部１６１と外壁部１６２との間に形成された中間壁１６３とを含む。中間壁１６３は、本体部１６１の下流側の部分の周囲全体を取り囲むように形成されている。本体部１５１および外壁部１６２および中間壁１６３は、同一の素材により一体の要素として構成されている。本体部１６１には、５つの流体素子１０が嵌め込まれている。外壁部１６２には、流通管１２０（図１参照）が接続されている。
【００５４】
吐出部１６０内には、流通管１２０の管内流路１２１に接続される供給流路１６５と、各流体素子１０内の素子流路１４と、本体部１６１の周囲全体を取り囲む外周流路１６６と、外周流路１６６に空気を供給するための空気流路１６７とが形成されている。供給流路１６５と素子流路１４および外周流路１６６とは互いに連通している。
【００５５】
本体部１６１において中間壁１６３の上流側の部分には、外周流路１６６の入口側から出口側に向かうにつれて拡径する拡径部１６４が設けられている。このため、外周流路１６６の各部位の通路面積は次のように互いに異なる大きさとなる。
【００５６】
すなわち、拡径部１６４よりも入口側の部分においては、外周流路１６６のなかで通路面積が最も大きく、かつ入口側から出口側にわたり通路面積が一定となる。拡径部１６４においては、入口側から出口側に向かうにつれて通路面積が次第に小さくなる。拡径部１６４よりも出口側の部分においては、外周流路１６６のなかで通路面積が最も小さく、かつ入口側から出口側までにわたり通路面積が一定となる。
【００５７】
吐出部１６０には、蛇口１００においての水の出口となる第１出口１６８および第２出口１６９が設けられている。第１出口１６８は、それぞれの流体素子１０の素子流路１４の出口に相当する。第２出口１６９は、外周流路１６６の出口に相当する。
【００５８】
外周流路１６６の水の流れについて説明する。
外周流路１６６の拡径部１６４に対応する部分においては、水の流速が同部分よりも上流側の部分に比べて速くなる。このため、拡径部１６４に対応する部分の圧力は、同部分よりも上流側の部分に比べて小さくなる。これにより、外周流路１６６において空気流路１６７との接続部分には空気流路１６７を介して外部の空気が流れ込むため、第２出口１６９からは空気を含む水が吐出される。
【００５９】
本実施形態によれば、先の第１実施形態の前記（１）の効果すなわち洗浄力の低下が生じる頻度を少なくすることができる旨の効果、および前記（２）の効果、および第２実施形態の前記（３）の効果に加えて、以下に示す効果がさらに得られる。
【００６０】
（４）蛇口１００の吐出部１６０には、外周流路１６６に空気を供給するための空気流路１６７が外周流路１６６の内側に設けられている。この構成によれば、外周流路１６６の水が空気流路１６７に流れ込むことにともない同流路１６７から外部に水が吐出されたとしても、吐出された水の流れが第２出口１６９から吐出する水の流れに取り囲まれている。このため、空気流路１６７から吐出した水が周囲に飛散することが第２出口１６９から吐出した水の流れにより抑制される。
【００６１】
（第４実施形態）
図６〜図８を参照して、本発明の第４実施形態について説明する。
本実施形態の蛇口１００は、第１実施形態の蛇口１００に対して次の変更を加えたものとして構成されている。すなわち、第１実施形態の蛇口１００の吐出部１１０には、図１に示される形状の流体素子１０が設けられている。これに対して、本実施形態の蛇口１００の吐出部１７０には、図６に示される形状の流体素子２０が設けられている。以下、第１実施形態からの変更点の詳細について説明する。なお、第１実施形態と共通する構成については同一の符号を付してその説明を省略する。
【００６２】
吐出部１７０は、複数の流体素子２０が嵌め込まれた本体部１７１と、本体部１７１の周囲全体を取り囲むように形成された外壁部１７２とを含む。本体部１７１および外壁部１７２は、同一の素材により一体の要素として構成されている。本体部１７１には、１２個の流体素子２０が嵌め込まれている。外壁部１７２には、流通管１２０（図１参照）が接続されている。
【００６３】
吐出部１７０内には、流通管１２０の管内流路１２１に接続される供給流路１７３と、各流体素子２０内の素子流路２１と、本体部１７１の周囲全体を取り囲む外周流路１７４とが形成されている。供給流路１７３と素子流路２１および外周流路１７４とは互いに連通している。
【００６４】
吐出部１７０には、蛇口１００においての水の出口となる第１出口１７５および第２出口１７６が設けられている。第１出口１７５は、それぞれの流体素子２０の素子流路２１の出口に相当する。第２出口１７６は、外周流路１７４の出口に相当する。
【００６５】
図６（ｂ）を参照して、流体素子２０の構造の詳細について説明する。
流体素子２０の内部には、流体素子２０の入口から出口までにわたり水を流通させるための素子流路２１が形成されている。素子流路２１は、供給流路１７３に連通する入口流路２２と、入口流路２２に連通するとともに入口流路２２よりも通路面積が大きい中間室２３と、中間室２３に連通する第１出口流路２４および第２出口流路２５とを含む。さらに、入口流路２２と第１出口流路２４および第２出口流路２５との間において中間室２３に連通する連通流路２６を含む。第１出口流路２４および第２出口流路２５の出口はそれぞれ素子流路２１の出口に相当する。
【００６６】
連通流路２６は、中間室２３のうちの入口流路２２の出口と第１出口流路２４および第２出口流路２５の入口との間の部分である第１中間室部分２３Ａおよび第２中間室部分２３Ｂを互いに連通する。第１中間室部分２３Ａおよび第２中間室部分２３Ｂは、それぞれ中間室２３において水の流れによどみが生じる部分に相当する。
【００６７】
図７に示されるように、吐出部１７０の本体部１７１には、合計１２個の流体素子２０が設けられている。具体的には、流体素子２０の長手方向において互いに隣り合うように配置された３つの流体素子２０を一列として、この流体素子２０の列が４つ設けられている。
【００６８】
図８を参照して、吐出部１７０の水の流れについて説明する。
水栓１３０が開かれているとき、水道管の水が流通管１２０内の管内流路１２１を流れる（図１参照）。管内流路１２１の水は、吐出部１７０内の供給流路１７３に流れ込む。供給流路１７３の水は、素子流路２１または外周流路１７４に流れ込む。
【００６９】
素子流路２１の入口流路２２に流れ込んだ水は、中間室２３において第１出口流路２４側の壁面または第２出口流路２５側の壁面に沿うように流れる。これは、流体のコアンダ効果に基づくものと考えられる。
【００７０】
図８（ａ）に示されるように、中間室２３において第１出口流路２４側の壁面に沿うように水が流れているとき、第２中間室部分２３Ｂ付近に比べて第１中間室部分２３Ａ付近の流速が大きくなるため、第１中間室部分２３Ａの圧力が第２中間室部分２３Ｂの圧力よりも小さくなる。このため、連通流路２６においては同流路２６の中間部分から第１中間室部分２３Ａに向かう水の流れが生じる。
【００７１】
図８（ｂ）に示されるように、連通流路２６において生じた水の流れにより中間室２３の水の流れが第１中間室部分２３Ａ側から第２中間室部分２３Ｂ側に押される。このため、図８（ｃ）に示されるように、入口流路２２に流れ込んだ水が中間室２３において第２出口流路２５側の壁面に沿うように流れる。これにより、流体素子２０（吐出部１７０）からは、吐出部１７０の第１出口１７５としての第２出口流路２５の出口を介して水が吐出される。
【００７２】
図８（ｃ）に示されるように、中間室２３において第２出口流路２５側の壁面に沿うように水が流れているとき、第１中間室部分２３Ａ付近に比べて第２中間室部分２３Ｂ付近の流速が大きくなるため、第２中間室部分２３Ｂの圧力が第１中間室部分２３Ａの圧力よりも小さくなる。このため、連通流路２６においては同流路２６の中間部分から第２中間室部分２３Ｂに向かう水の流れが生じる。
【００７３】
図８（ｂ）に示されるように、連通流路２６において生じた水の流れにより中間室２３の水の流れが第２中間室部分２３Ｂ側から第１中間室部分２３Ａ側に押される。このため、図８（ａ）に示されるように、入口流路２２に流れ込んだ水が中間室２３において第１出口流路２４側の壁面に沿うように流れる。これにより、流体素子２０（吐出部１７０）からは、吐出部１７０の第１出口１７５としての第１出口流路２４の出口を介して水が吐出される。
【００７４】
このように、流体素子２０においては、第１出口流路２４に向かう水の流れと第２出口流路２５に向かう水の流れとが交互に形成される。これにより、吐出部１７０から吐出される水の流れの方向が周期的に変化する。
【００７５】
本実施形態によれば、先の第１実施形態の前記（１）の効果すなわち洗浄力の低下が生じる頻度を少なくすることができる旨の効果、および前記（２）の効果に準じた効果が得られる。
【００７６】
（第５実施形態）
図９〜図１１を参照して、本発明の第５実施形態について説明する。
本実施形態の蛇口１００は、第１実施形態の蛇口１００に対して次の変更を加えたものとして構成されている。すなわち、第１実施形態の蛇口１００の吐出部１１０には、図１に示される形状の流体素子１０が設けられている。これに対して、本実施形態の蛇口１００の吐出部１８０には、図９に示される形状の流体素子３０が設けられている。以下、第１実施形態からの変更点の詳細について説明する。なお、第１実施形態と共通する構成については同一の符号を付してその説明を省略する。
【００７７】
吐出部１８０は、複数の流体素子３０が嵌め込まれた本体部１８１と、本体部１８１の周囲全体を取り囲むように形成された外壁部１８２とを含む。本体部１８１および外壁部１８２は、同一の素材により一体の要素として構成されている。本体部１８１には、１２個の流体素子３０が嵌め込まれている。外壁部１８２には、流通管１２０（図１参照）が接続されている。
【００７８】
吐出部１８０内には、流通管１２０の管内流路１２１に接続される供給流路１８３と、各流体素子３０内の素子流路３１と、本体部１８１の周囲全体を取り囲む外周流路１８４とが形成されている。供給流路１８３と素子流路３１および外周流路１８４とは互いに連通している。
【００７９】
吐出部１８０には、蛇口１００においての水の出口となる第１出口１８５および第２出口１８６が設けられている。第１出口１８５は、それぞれの流体素子３０の素子流路３１の出口に相当する。第２出口１８６は、外周流路１８４の出口に相当する。
【００８０】
流体素子３０の構造の詳細について説明する。
流体素子３０の内部には、流体素子３０の入口から出口までにわたり水を流通させるための素子流路３１が形成されている。素子流路３１は、流体素子３０の入口から出口までにわたり形成されるとともに入口から出口にかけて通路面積が大きくなる主流路３２と、主流路３２の流路上流部分３２Ａおよび流路下流部分３２Ｂを互いに連通する第１副流路３３および第２副流路３４とを含む。主流路３２の入口は、供給流路１８３と連通している。主流路３２の出口は、素子流路３１の出口に相当する。第１副流路３３および第２副流路３４は、それぞれ独立して流路上流部分３２Ａおよび流路下流部分３２Ｂを連通している。
【００８１】
図１０に示されるように、吐出部１８０の本体部１８１には、合計１２個の流体素子３０が設けられている。具体的には、流体素子３０の長手方向において互いに隣り合うように配置された３つの流体素子３０を一列として、この流体素子３０の列が４つ設けられている。
【００８２】
図１１を参照して、吐出部１８０の水の流れについて説明する。
水栓１３０が開かれているとき、水道管の水が流通管１２０内の管内流路１２１を流れる（図１参照）。管内流路１２１の水は、吐出部１８０内の供給流路１８３に流れ込む。供給流路１８３の水は、素子流路３１または外周流路１８４に流れ込む。
【００８３】
素子流路３１の主流路３２に流れ込んだ水は、主流路３２において第１副流路３３側の壁面または第２副流路３４側の壁面に沿うように流れる。これは、流体のコアンダ効果に基づくものと考えられる。
【００８４】
図１１（ａ）に示されるように、主流路３２において第１副流路３３側の壁面に沿うように水が流れているとき、流れの一部が流路下流部分３２Ｂから第１副流路３３に流れ込む。このため、第１副流路３３においては流路下流部分３２Ｂから流路上流部分３２Ａに向かう水の流れが生じる。
【００８５】
図１１（ｂ）に示されるように、第１副流路３３において生じた水の流れにより主流路３２の水の流れが第１副流路３３側から第２副流路３４側に押される。このため、図１１（ｃ）に示されるように、流体素子３０に流れ込んだ水が主流路３２において第２副流路３４側の壁面に沿うように流れる。
【００８６】
図１１（ｃ）に示されるように、主流路３２において第２副流路３４側の壁面に沿うように水が流れているとき、流れの一部が流路下流部分３２Ｂから第２副流路３４に流れ込む。このため、第２副流路３４においては流路下流部分３２Ｂから流路上流部分３２Ａに向かう水の流れが生じる。
【００８７】
図１１（ｂ）に示されるように、第２副流路３４において生じた水の流れにより主流路３２の水の流れが第２副流路３４側から第１副流路３３側に押される。このため、図１１（ａ）に示されるように、流体素子３０に流れ込んだ水が主流路３２において第１副流路３３側の壁面に沿うように流れる。
【００８８】
このように、流体素子３０においては、第１副流路３３側の壁面に沿う水の流れと第２副流路３４側の壁面に沿う水の流れとが交互に形成される。これにより、吐出部１８０から吐出される水の流れの方向が周期的に変化する。
【００８９】
本実施形態によれば、先の第１実施形態の前記（１）の効果すなわち洗浄力の低下が生じる頻度を少なくすることができる旨の効果、および前記（２）の効果に準じた効果が得られる。
【００９０】
（第６実施形態）
図１２〜図１４を参照して、本発明の第６実施形態について説明する。
本実施形態の蛇口１００は、第１実施形態の蛇口１００に対して次の変更を加えたものとして構成されている。すなわち、第１実施形態の蛇口１００の吐出部１１０には、図１に示される形状の流体素子１０が設けられている。これに対して、本実施形態の蛇口１００の吐出部１９０には、図１２に示される形状の流体素子４０が設けられている。以下、第１実施形態からの変更点の詳細について説明する。なお、第１実施形態と共通する構成については同一の符号を付してその説明を省略する。
【００９１】
吐出部１９０は、１つの流体素子４０が嵌め込まれた本体部１９１と、本体部１９１の周囲全体を取り囲むように形成された外壁部１９２とを含む。本体部１９１および外壁部１９２は、同一の素材により一体の要素として構成されている。外壁部１９２には、流通管１２０（図１参照）が接続されている。
【００９２】
吐出部１９０内には、流通管１２０の管内流路１２１に接続される供給流路１９３と、流体素子４０内の素子流路４３と、本体部１９１の周囲全体を取り囲む外周流路１９４とが形成されている。供給流路１９３と素子流路４３および外周流路１９４とは互いに連通している。
【００９３】
吐出部１９０には、蛇口１００においての水の出口となる第１出口１９７および第２出口１９８が設けられている。第１出口１９７は、流体素子４０の素子流路４３の出口に相当する。第２出口１９８は、外周流路１９４の出口に相当する。
【００９４】
図１２および図１３を参照して、流体素子４０の構造の詳細について説明する。
流体素子４０は、吐出部１９０に取り付けられる素子本体４１と、この素子本体４１内に設けられて吐出部１９０からの流体の吐出方向を周期的に変化させるための素子流路４３と、この素子流路４３上において流路の分岐点として設けられる分流壁部４２とを含む。素子本体４１および分流壁部４２は、同一の素材により一体の要素として構成されている。
【００９５】
素子流路４３は、流体素子４０の入口を含む入口流路４４と、この入口流路４４の出口に接続されて同流路４４の出口に対向する部位に分流壁部４２が設けられる出口流路４５とを含む。
【００９６】
出口流路４５は、入口流路４４の出口に接続される第１出口流路４６と、流体素子４０の出口を含む第２出口流路４７と、分流壁部４２により第１出口流路４６から分岐して形成された第１分岐流路４８および第２分岐流路４９とを含む。第１分岐流路４８および第２分岐流路４９は、それぞれ第１出口流路４６と第２出口流路４７とを接続している。入口流路４４の入口は、供給流路１９３と連通している。第２出口流路４７の出口は、素子流路４３の出口に相当する。第１出口流路４６には、水の流れによどみが生じる部分となる第１流路部分４６Ａおよび第２流路部分４６Ｂが形成されている。
【００９７】
図１４を参照して、吐出部１９０の水の流れについて説明する。
水栓１３０が開かれているとき、水道管の水が流通管１２０内の管内流路１２１を流れる（図１参照）。管内流路１２１の水は、吐出部１９０内の供給流路１９３に流れ込む。供給流路１９３の水は、素子流路４３または外周流路１９４に流れ込む。
【００９８】
素子流路４３の入口流路４４に流れ込んだ水は、出口流路４５において第１分岐流路４８側の壁面に沿う流れが支配的となる第１の流れ、または出口流路４５において第２分岐流路４９側の壁面に沿う流れが支配的となる第２の流れを形成する。これは、流体のコアンダ効果に基づくものと考えられる。
【００９９】
図１４（ａ）に示されるように、素子流路４３において第１分岐流路４８側の壁面に沿う流れが支配的となるとき、第２分岐流路４９を通過した流れが第２出口流路４７において第１分岐流路４８を通過した流れに向けて流れる。これにより、流体素子４０（吐出部１９０）から吐出される水は、第１分岐流路４８側の壁面に偏った流れを形成する。このとき、第１流路部分４６Ａおよび第２流路部分４６Ｂには剥離渦が形成されている。
【０１００】
図１４（ｂ）に示されるように、素子流路４３において第２分岐流路４９側の壁面に沿う流れが支配的となるとき、第１分岐流路４８を通過した流れが第２出口流路４７において第２分岐流路４９を通過した流れに向けて流れる。これにより、流体素子４０（吐出部１９０）から吐出される水は、第２分岐流路４９側の壁面に偏った流れを形成する。このとき、第１流路部分４６Ａおよび第２流路部分４６Ｂには剥離渦が形成されている。
【０１０１】
そして、流体素子４０においては上述した図１４（ａ）の流れと図１４（ｂ）の流れとが交互に形成される。これにより、吐出部１９０から吐出される水の流れの方向が周期的に変化する。なお、このように水の流れが変化する理由は今のところ明確にされていないものの、第１流路部分４６Ａおよび第２流路部分４６Ｂに形成される剥離渦が水の流れの変化に影響を及ぼしていると考えられる。
【０１０２】
本実施形態によれば、先の第１実施形態の前記（１）の効果すなわち洗浄力の低下が生じる頻度を少なくすることができる旨の効果、および前記（２）の効果に準じた効果が得られる。
【０１０３】
（第７実施形態）
図１５を参照して、本発明の第７実施形態について説明する。
第１実施形態では、本発明の洗浄機構を蛇口１００として具体化している。本実施形態では、これに代えて、蛇口２３０の吐出部に取り付けるためのアタッチメント２００として本発明の洗浄機構を具体化している。以下、第１実施形態からの変更点の詳細について説明する。なお、第１実施形態と共通する構成については同一の符号を付してその説明を省略する。
【０１０４】
図１５に示されるように、アタッチメント２００は、流体素子１０が設けられたアタッチメント本体２１０と、同本体２１０を蛇口２３０の吐出部に取り付けるための取付部２２０とを含む。アタッチメント本体２１０内には、第１実施形態の吐出部１１０に準じた態様で複数の流体素子１０が嵌め込まれている。
【０１０５】
本実施形態によれば、先の第１実施形態の前記（１）の効果すなわち洗浄力の低下が生じる頻度を少なくすることができる旨の効果、および前記（２）の効果に準じた効果が得られる。
【０１０６】
（第８実施形態）
図１６を参照して、本発明の第８実施形態について説明する。
第１実施形態では、本発明の洗浄機構を蛇口１００として具体化している。本実施形態では、これに代えて、シャワー３００として本発明の洗浄機構を具体化している。以下、第１実施形態からの変更点の詳細について説明する。なお、第１実施形態と共通する構成については同一の符号を付してその説明を省略する。
【０１０７】
図１６に示されるように、シャワー３００は、使用者が使用時に把持するための持ち手３２０と、持ち手３２０の先端に取り付けられて水を吐出する吐出部３１０とを含む。吐出部３１０内には、第１実施形態の吐出部１１０に準じた態様で複数の流体素子１０が嵌め込まれている。
【０１０８】
本実施形態によれば、先の第１実施形態の前記（１）の効果すなわち洗浄力の低下が生じる頻度を少なくすることができる旨の効果、および前記（２）の効果に準じた効果が得られる。
【０１０９】
（第９実施形態）
図１７を参照して、本発明の第９実施形態について説明する。
第１実施形態では、本発明の洗浄機構を蛇口１００として具体化している。本実施形態では、これに代えて、自動洗髪装置４００として本発明の洗浄機構を具体化している。以下、第１実施形態からの変更点の詳細について説明する。なお、第１実施形態と共通する構成については同一の符号を付してその説明を省略する。
【０１１０】
図１７（ａ）に示されるように、自動洗髪装置４００は、人の頭部を覆うように形成された装置本体４２０と、人の頭部に向けて水を吐出するための複数の吐出部４１０とを含む。図１７（ｂ）に示されるように、各吐出部４１０内には第１実施形態の吐出部１１０に準じた態様で複数の流体素子１０が嵌め込まれている。
【０１１１】
本実施形態によれば、先の第１実施形態の前記（１）の効果すなわち洗浄力の低下が生じる頻度を少なくすることができる旨の効果、および前記（２）の効果に準じた効果が得られる。
【０１１２】
（第１０実施形態）
図１８を参照して、本発明の第１０実施形態について説明する。
第１実施形態では、本発明の洗浄機構を蛇口１００として具体化している。本実施形態では、これに代えて、洗濯機５００として本発明の洗浄機構を具体化している。以下、第１実施形態からの変更点の詳細について説明する。なお、第１実施形態と共通する構成については同一の符号を付してその説明を省略する。
【０１１３】
図１８（ａ）に示されるように、洗濯機５００は、洗濯物を洗濯するための室を形成する回転ドラム５３０と、回転ドラム５３０の室に向けて水を吐出するための吐出部５１０と、吐出部５１０に水を供給する供給装置５２０とを含む。図１８（ｂ）に示されるように、吐出部５１０内には第１実施形態の吐出部１１０に準じた態様で複数の流体素子１０が嵌め込まれている。
【０１１４】
本実施形態によれば、先の第１実施形態の前記（１）の効果すなわち洗浄力の低下が生じる頻度を少なくすることができる旨の効果、および前記（２）の効果に準じた効果が得られる。
【０１１５】
（第１１実施形態）
図１９を参照して、本発明の第１１実施形態について説明する。
第１実施形態では、本発明の洗浄機構を蛇口１００として具体化している。本実施形態では、これに代えて、高圧洗浄装置の一つである車両洗浄装置６００として本発明の洗浄機構を具体化している。以下、第１実施形態からの変更点の詳細について説明する。なお、第１実施形態と共通する構成については同一の符号を付してその説明を省略する。
【０１１６】
図１９（ａ）に示されるように、車両洗浄装置６００は、車両に向けて水を吐出するための吐出部６１０と、吐出部６１０への水の供給源としての供給装置６２０と、供給装置６２０から吐出部６１０に水を供給するホース６３０とを含む。図１９（ｂ）に示されるように、吐出部６１０内には第１実施形態の吐出部１１０に準じた態様で複数の流体素子１０が嵌め込まれている。
【０１１７】
本実施形態によれば、先の第１実施形態の前記（１）の効果すなわち洗浄力の低下が生じる頻度を少なくすることができる旨の効果、および前記（２）の効果に準じた効果が得られる。
【０１１８】
（第１２実施形態）
図２０を参照して、本発明の第１２実施形態について説明する。
第１実施形態では、本発明の洗浄機構を蛇口１００として具体化している。本実施形態では、これに代えて、浴槽洗浄装置７００として本発明の洗浄機構を具体化している。以下、第１実施形態からの変更点の詳細について説明する。なお、第１実施形態と共通する構成については同一の符号を付してその説明を省略する。
【０１１９】
図２０（ａ）に示されるように、浴槽洗浄装置７００は、浴槽に向けて水を吐出するための吐出部７１０と、吐出部７１０への水の供給源としての供給装置７２０と、供給装置７２０から吐出部７１０に水を供給するホース７３０とを含む。図２０（ｂ）に示されるように、吐出部７１０内には第１実施形態の吐出部１１０に準じた態様で複数の流体素子１０が嵌め込まれている。
【０１２０】
本実施形態によれば、先の第１実施形態の前記（１）の効果すなわち洗浄力の低下が生じる頻度を少なくすることができる旨の効果、および前記（２）の効果に準じた効果が得られる。
【０１２１】
（第１３実施形態）
図２１を参照して、本発明の第１３実施形態について説明する。
第１実施形態では、本発明の洗浄機構を蛇口１００として具体化している。本実施形態では、これに代えて、床洗浄装置８００として本発明の洗浄機構を具体化している。以下、第１実施形態からの変更点の詳細について説明する。なお、第１実施形態と共通する構成については同一の符号を付してその説明を省略する。
【０１２２】
図２１（ａ）に示されるように、床洗浄装置８００は、床に向けて水を吐出するための吐出部８１０と、吐出部８１０への水の供給源としての供給装置８２０と、供給装置８２０から吐出部８１０に水を供給するホース８３０とを含む。図２１（ｂ）に示されるように、吐出部８１０内には第１実施形態の吐出部１１０に準じた態様で複数の流体素子１０が嵌め込まれている。
【０１２３】
本実施形態によれば、先の第１実施形態の前記（１）の効果すなわち洗浄力の低下が生じる頻度を少なくすることができる旨の効果、および前記（２）の効果に準じた効果が得られる。
【０１２４】
（第１４実施形態）
図２２を参照して、本発明の第１４実施形態について説明する。
第１実施形態では、本発明の洗浄機構を蛇口１００として具体化している。本実施形態では、これに代えて、口腔洗浄装置９００として本発明の洗浄機構を具体化している。以下、第１実施形態からの変更点の詳細について説明する。なお、第１実施形態と共通する構成については同一の符号を付してその説明を省略する。
【０１２５】
図２２（ａ）に示されるように、口腔洗浄装置９００は、口腔内に向けて水を吐出するための吐出部９１０と、吐出部９１０への水の供給源としての供給装置９２０と、供給装置９２０から吐出部９１０に水を供給するホース９３０とを含む。図２２（ｂ）に示されるように、吐出部９１０内には第１実施形態の吐出部１１０に準じた態様で複数の流体素子１０が嵌め込まれている。
【０１２６】
本実施形態によれば、先の第１実施形態の前記（１）の効果すなわち洗浄力の低下が生じる頻度を少なくすることができる旨の効果、および前記（２）の効果に準じた効果が得られる。
【０１２７】
（第１５実施形態）
図２３を参照して、本発明の第１５実施形態について説明する。
第１実施形態では、本発明の洗浄機構を蛇口１００として具体化している。本実施形態では、これに代えて、食器洗浄装置１０００として本発明の洗浄機構を具体化している。以下、第１実施形態からの変更点の詳細について説明する。なお、第１実施形態と共通する構成については同一の符号を付してその説明を省略する。
【０１２８】
図２３（ａ）に示されるように、食器洗浄装置１０００は、食器に向けて水を吐出するための吐出部１０１０と、吐出部１０１０への水の供給源としての供給部１０２０と、供給部１０２０から吐出部１０１０に水を供給する供給管１０３０とを含む。図２３（ｂ）に示されるように、吐出部１０１０内には第１実施形態の吐出部１１０に準じた態様で複数の流体素子１０が嵌め込まれている。
【０１２９】
本実施形態によれば、先の第１実施形態の前記（１）の効果すなわち洗浄力の低下が生じる頻度を少なくすることができる旨の効果、および前記（２）の効果に準じた効果が得られる。
【０１３０】
（第１６実施形態）
図２４を参照して、本発明の第１６実施形態について説明する。
第１実施形態では、本発明の洗浄機構を蛇口１００として具体化している。本実施形態では、これに代えて、洗浄便座装置１１００として本発明の洗浄機構を具体化している。以下、第１実施形態からの変更点の詳細について説明する。なお、第１実施形態と共通する構成については同一の符号を付してその説明を省略する。
【０１３１】
図２４（ａ）に示されるように、洗浄便座装置１１００は、使用者の局部に向けて水を吐出するための吐出部１１１０と、吐出部１１１０への水の供給源としての供給部１１２０と、供給部１１２０から吐出部１１１０に水を供給するホース１１３０とを含む。図２４（ｂ）に示されるように、吐出部１１１０内には第１実施形態の吐出部１１０に準じた態様で複数の流体素子１０が嵌め込まれている。
【０１３２】
本実施形態によれば、先の第１実施形態の前記（１）の効果すなわち洗浄力の低下が生じる頻度を少なくすることができる旨の効果、および前記（２）の効果に準じた効果が得られる。
【０１３３】
（第１７実施形態）
図２５を参照して、本発明の第１７実施形態について説明する。
第１実施形態では、本発明の洗浄機構を蛇口１００として具体化している。本実施形態では、これに代えて、エアシャワー装置１２００として本発明の洗浄機構を具体化している。以下、第１実施形態からの変更点の詳細について説明する。なお、第１実施形態と共通する構成については同一の符号を付してその説明を省略する。
【０１３４】
図２５（ａ）に示されるように、エアシャワー装置１２００は、使用者に向けてエアを吐出するための吐出部１２１０と、吐出部１２１０へのエアの供給源としての供給部１２２０と、供給部１２２０から吐出部１２１０にエアを供給する供給管１２３０とを含む。図２５（ｂ）に示されるように、吐出部１２１０内には第１実施形態の吐出部１１０に準じた態様で複数の流体素子１０が嵌め込まれている。
【０１３５】
本実施形態によれば、先の第１実施形態の前記（１）の効果すなわち洗浄力の低下が生じる頻度を少なくすることができる旨の効果、および前記（２）の効果に準じた効果が得られる。
【０１３６】
（その他の実施形態）
本発明の洗浄機構の具体的な構成は、上記各実施形態に例示した内容に限られるものではなく、これを例えば以下に示すように変更することもできる。また、以下の各変形例は、上記各実施形態についてのみ適用されるものでなく、異なる変形例同士を互いに組み合わせて実施することもできる。
【０１３７】
・上記第１〜第３実施形態では、３つの分流壁部１３からなる列、４つの分流壁部１３からなる列、および３つの分流壁部１３からなる列を１つの流体素子１０に設けたが、流体素子１０の分流壁部１３の数はこれに限られない。すなわち、フリップフロップ流を形成することができる範囲内であれば、流体素子１０の分流壁部１３の数は適宜変更することができる。
【０１３８】
・上記第２および第３実施形態では、空気流路１５７の開口部を外周流路１５６の開口部と同じ面に形成したが、外壁部１５２の周面上に空気流路１５７の開口部を形成することもできる。
【０１３９】
・上記第４実施形態では、吐出部１７０に１つの流体素子４０を設けたが、複数の流体素子４０を吐出部１７０に設けることもできる。
・上記第４実施形態では、３つの流体素子２０からなる列を合計４つ設けているが、流体素子２０の列の数を１〜３のいずれかまたは５以上のいずれかに変更することもできる。また、一列あたりの流体素子２０の数を１または２または４以上のいずれかに変更することもできる。
【０１４０】
・上記第５実施形態では、３つの流体素子３０からなる列を合計４つ設けているが、流体素子３０の列の数を１〜３のいずれかまたは５以上のいずれかに変更することもできる。また、一列あたりの流体素子３０の数を１または２または４以上のいずれかに変更することもできる。
【０１４１】
・上記第１〜第３、第５および第６実施形態では、それぞれ吐出部に複数の流体素子を設けているが、吐出部に流体素子を１つだけ設けることもできる。
・上記第１または第４〜第１７実施形態において、第２または第３実施形態と同様に空気流路を形成することもできる。
【０１４２】
・上記第７〜第１７実施形態では、それぞれ吐出部に第１実施形態の流体素子１０を設けているが、これに代えて、第４実施形態の流体素子２０および第５実施形態の流体素子３０および第６実施形態の流体素子４０のいずれかを設けることもできる。
【符号の説明】
【０１４３】
１０…流体素子、１３…分流壁部、１４…素子流路、１４Ａ…第１平行流路、１４Ｂ…第２平行流路、２０…流体素子、２１…素子流路、２２…入口流路、２３…中間室、２３Ａ…第１中間室部分、２３Ｂ…第２中間室部分、２４…第１出口流路、２５…第２出口流路、２６…連通流路、３０…流体素子、３１…素子流路、３２…主流路、３２Ａ…流路上流部分、３２Ｂ…流路下流部分、３３…第１副流路、３４…第２副流路、４０…流体素子、４１…素子本体、４２…分流壁部、４３…素子流路、４４…入口流路、４５…出口流路、４６…第１出口流路、４６Ａ…第１流路部分、４６Ｂ…第２流路部分、４７…第２出口流路、４８…第１分岐流路、４９…第２分岐流路、１００…蛇口、１１０…吐出部、１１４…外周流路、１１５…第１出口、１１６…第２出口、１２０…流通管、１５０…吐出部、１５６…外周流路、１５７…空気流路、１５８…第１出口、１５９…第２出口、１６０…吐出部、１６６…外周流路、１６７…空気流路、１６８…第１出口、１６９…第２出口、１７０…吐出部、１７４…外周流路、１７５…第１出口、１７６…第２出口、１８０…吐出部、１８４…外周流路、１８５…第１出口、１８６…第２出口、１９０…吐出部、１９４…外周流路、１９７…第１出口、１９８…第２出口、２００…アタッチメント、３００…シャワー、４００…自動洗髪装置、５００…洗濯機、６００…車両洗浄装置、７００…浴槽洗浄装置、８００…床洗浄装置、９００…口腔洗浄装置、１０００…食器洗浄装置、１１００…洗浄便座装置、１２００…エアシャワー装置。
【図１】
0005793699.tif 000002
【図２】
0005793699.tif 000003
【図３】
0005793699.tif 000004
【図４】
0005793699.tif 000005
【図５】
0005793699.tif 000006
【図６】
0005793699.tif 000007
【図７】
0005793699.tif 000008
【図８】
0005793699.tif 000009
【図９】
0005793699.tif 000010
【図１０】
0005793699.tif 000011
【図１１】
0005793699.tif 000012
【図１２】
0005793699.tif 000013
【図１３】
0005793699.tif 000014
【図１４】
0005793699.tif 000015
【図１５】
0005793699.tif 000016
【図１６】
0005793699.tif 000017
【図１７】
0005793699.tif 000018
【図１８】
0005793699.tif 000019
【図１９】
0005793699.tif 000020
【図２０】
0005793699.tif 000021
【図２１】
0005793699.tif 000022
【図２２】
0005793699.tif 000023
【図２３】
0005793699.tif 000024
【図２４】
0005793699.tif 000025
【図２５】
0005793699.tif 000026